(57)【要約】【課題】  収納電子機器の増設が容易に行うことができ、また、高さ方向に自在な組み合わせが可能なラック用フレームおよびこれを用いたラックを提供すること。【解決手段】  収納機器の底面と接して収納機器を保持する底面部５と、上段に位置するラック用フレームの底面部５と接する上面部６と、収納機器のラック取付用フランジと接する前面部７と、ステーまたは背面パネルと接する背面部８と、前記底面部５、前記上面部６、前記前面部７および前記背面部８と一体を成す側面部９とからなるラック用フレーム１を、必要な収納機器数に応じて積み重ねてラックを構成する。【選択図】      図１
2005353916.tif 000002
【特許請求の範囲】
【請求項１】
収納機器の側面に位置して積み重ね可能なラック用フレームであって、
収納機器の底面と接して収納機器を保持する底面部と、上段に位置するラック用フレームの底面部と接する上面部と、収納機器のラック取付用フランジと接する前面部と、ステーまたは背面パネルと接する背面部と、前記底面部、前記上面部、前記前面部および前記背面部と一体を成す側面部とから構成されていることを特徴とするラック用フレーム。
【請求項２】
前記底面部の収納機器の底面と接する領域以外に切り込みを設けたことを特徴とする請求項１に記載のラック用フレーム。
【請求項３】
前記底面部および前記上面部に固定用ねじ穴を有し、前記上面部に他のラック用フレームの前記底面部を接するように積み重ねて、前記底面部および前記上面部の固定用ねじ穴に固定用金具を挿入して、上段または下段に位置するラック用フレームを固定支持するようにしたことを特徴とする請求項１または請求項２に記載のラック用フレーム。
【請求項４】
前記上面部はＬ字型形状を成し、上段に位置するラック用フレームの底面部と接する以外の面を前記側面部と平行となるように形成したことを特徴とする請求項１乃至請求項３のうち、いずれか１に記載のラック用フレーム。
【請求項５】
前記底面部から前記上面部までの高さ寸法が、所定の単位高さの整数倍となるようにしたことを特徴とする請求項１乃至請求項４のうち、いずれか１に記載のラック用フレーム。
【請求項６】
収納機器の底面と接して収納機器を保持する底面部と、上段に位置するラック用フレームの底面部と接する上面部と、収納機器のラック取付用フランジと接する前面部と、ステーまたは背面パネルと接する背面部と、前記底面部、前記上面部、前記前面部および前記背面部と一体を成す側面部とからなるラック用フレームラックを積み重ねた構造からなることを特徴とするラック。
【請求項７】
前記ラック用フレームの前記底面部の収納機器の底面と接する領域以外に切り込みを設けて、背面に収納機器の幅の長さを有するケーブルの収納用空間および冷却用空間を設けたことを特徴とする請求項６記載のラック。
【請求項８】
前記ラック用フレームの前記上面部はＬ字型形状を成し、上段に位置するラック用フレームの底面部と接する以外の面を前記側面部と平行となるように形成して、収納時の電子機器をガイドするようにしたことを特徴とする請求項６記載のラック。
【請求項９】
前記ラック用フレームの前記底面部から前記上面部までの高さ寸法が、所定の単位高さの整数倍となる前記ラック用フレームで構成したことを特徴とする請求項６記載のラック。
【発明の詳細な説明】
【技術分野】
【０００１】
本発明は、無停電電源装置等の電子機器を収納するためのラック用フレームおよびこれを用いたラックに関する。特に、高さ方向に自在な組み合わせが可能なラック用フレームおよびこれを用いたラックに関する。
【背景技術】
【０００２】
サーバを基幹とするコンピュータネットワークシステム、複数の機器から構成される計測システム等では、無停電電源装置（ＵＰＳ）が使用されている。複数の無停電電源装置をラックに組み込んでサーバ、ストレージ装置、コンピュータ、測定機器等に電源を供給するようにしている。収納電子機器（以下、無停電電源装置を含めてラックに収納する電子機器を収納電子機器という）は、ラックマウント用レールを使用して、キャビネットタイプ等のラックに組み込むようにしている。
【０００３】
図７は、従来のラックの概略の構成を示す斜視図である。図７に示すように、従来のラック３０は、４本の支柱３１を上部フレーム３２および下部フレーム３３のコーナで連結固定した構造となっている。各支柱３１には図８に示すラックマウント用レール３５を取り付けるための、位置決め用のステー３１ａが取り付けられている。
【０００４】
図８は、ラックマウント用レールの構成を示す斜視図である。図８に示すように、ラックマウント用レール３５は、背面に位置するスライド部３５ａが矢印で示すように左右にスライドして、ラックマウント用レール３５の長さを調節できるようになっている。
【０００５】
収納電子機器のラック３０への組み込みは、最初に、ラック３０の奥行きに合わせてラックマウント用レール３５の長さを調節して、ラックマウント用レール３５をラック３０の支柱３１の位置決め用のステー３１ａに取り付けて、収納電子機器をラック３０の前面よりラックマウント用レール３５に沿って差し込み、収納電子機器の前面に設けられているラック固定用金具２２（図６（ｂ）参照）でラック３０に固定するようにする。また、必要により収納電子機器の背面を金具を用いてラックマウント用レール３５に固定する（例えば、非特許文献１参照。）。
【０００６】
なお、従来のラック３０に側面パネル、背面パネル、上面パネル、底面パネルを取り付たキャビネットラックも使用される（例えば、非特許文献２参照）。
【０００７】
【非特許文献１】摂津金属工業株式  会社製品カタログ  「キャビネット」１５２頁〔online〕〔平成１６年５月３１日〕インターネット〈URL：http://www.settsu.co.jp/jp/products/rack/rkc2/rkc2.pdf
【非特許文献２】摂津金属工業株式  会社製品カタログ  「キャビネット」１５５頁〔online〕〔平成１６年５月３１日〕インターネット〈URLhttp://www.settsu.co.jp/jp/products/rack/rkc2/rkc2_acce.pdf
【発明の開示】
【発明が解決しようとする課題】
【０００８】
電子機器をラックに組み込む際には、別途ラックマウント用レールを準備して、ラックマウント用レールをラックに取り付ける必要がある。また、電子機器を増設する際に、ラックに収納電子機器の規定の数量を既に取り付けてある場合には、ラックを他のものに交換する必要がある。このため、容易に収納電子機器の増設を行うことができなかった。また、前もって収納電子機器の収納数が大きいラックを準備して増設に対応することも可能であるが、ラックのサイズが大きくなり、これにより設置のスペースが増大し、ラックのコストも高くなってしまう。
【０００９】
また、ラックはコーナーに配した支柱にラックマウント用レールを取り付けるため、収納電子機器の底面積と比較してラックの設置面積が大きくなってしまう。
【００１０】
このため、収納電子機器の増設が容易に行うことができ、高さ方向に自在な組み合わせ可能であり、また、ラックマウント用レールを必要としない、低コスト化が可能なラックが望まれている。
【００１１】
そこで本発明は、収納電子機器の増設が容易に行うことができ、また、高さ方向に自在な組み合わせが可能なラック用フレームおよびこれを用いたラックを提供することを目的とする。
【課題を解決するための手段】
【００１２】
本発明によるラック用フレームは、収納機器の側面に位置して積み重ね可能なラック用フレームであって、収納機器の底面と接して収納機器を保持する底面部と、上段に位置するラック用フレームの底面部と接する上面部と、収納機器のラック取付用フランジと接する前面部と、ステーまたは背面パネルと接する背面部と、前記底面部、前記上面部、前記前面部および前記背面部と一体を成す側面部とから構成したものである。
【００１３】
また、本発明によるラック用フレームは、前記底面部の収納機器の底面と接する領域以外に切り込みを設けたものである。
【００１４】
また、本発明によるラック用フレームは、前記底面部および前記上面部に固定用ねじ穴を有し、前記上面部に他のラック用フレームの前記底面部を接するように積み重ねて、前記底面部および前記上面部の固定用ねじ穴に固定用金具を挿入して、上段または下段に位置するラック用フレームを固定支持するようにしたものである。
【００１５】
また、本発明によるラック用フレームは、前記上面部はＬ字型形状を成し、上段に位置するラック用フレームの底面部と接する以外の面を前記側面部と平行となるように形成したものである。
【００１６】
また、本発明によるラック用フレームは、 前記底面部から前記上面部までの高さ寸法が、所定の単位高さの整数倍となるようにしたものである。
また、本発明によるラックは、収納機器の底面と接して収納機器を保持する底面部と、上段に位置するラック用フレームの底面部と接する上面部と、収納機器のラック取付用フランジと接する前面部と、ステーまたは背面パネルと接する背面部と、前記底面部、前記上面部、前記前面部および前記背面部と一体を成す側面部とからなるラック用フレームラックを積み重ねた構造からなるものである。
【００１７】
また、本発明によるラックは、前記ラック用フレームの前記底面部の収納機器の底面と接する領域以外に切り込みを設けて、背面に収納機器の幅の長さを有するケーブルの収納用空間および冷却用空間を設けたものである。
【００１８】
また、本発明によるラックは、前記ラック用フレームの前記上面部はＬ字型形状を成し、上段に位置するラック用フレームの底面部と接する以外の面を前記側面部と平行となるように形成して、収納時の電子機器をガイドするようにしたものである。
【００１９】
また、本発明によるラックは、前記ラック用フレームの前記底面部から前記上面部までの高さ寸法が、所定の単位高さの整数倍となる前記ラック用フレームで構成したものである。
【発明の効果】
【００２０】
本発明によるラック用フレームは、高さ方向に自在な組み合わせが可能であり、ラック用フレームを用いたラックは、収納電子機器の増設を容易に行うことができる。
【００２１】
また、電子機器の高さに合わせたラック用フレームを製作することができるため、ラックは、高さの異なる電子機器を収納することができる。
【００２２】
また、本発明によるラック用フレームを用いることにより、短時間でラックを完成することができ、また、ラックマウント用レールを必要としないため、組立の作業時間が短縮される。
【００２３】
また、本発明によるラック用フレームを用いることにより、従来のラックの支柱、側面パネルがラック用フレームに置き換えられて、使用する部品数が減るためラックを安価に製作することができる。
【発明を実施するための最良の形態】
【００２４】
以下図面を参照して、本発明によるラック用フレームおよびこれを用いたラックの実施の形態について説明する。
【００２５】
なお、本発明によるラック用フレームおよびこれを用いたラックは、収納機器の底面と接して収納機器を保持する底面部と、上段に位置するラック用フレームの底面部と接する上面部と、収納機器のラック取付用フランジと接する前面部と、ステーまたは背面パネルと接する背面部と側面部とから構成したラック用フレームを、上面部に他のラック用フレームの前記底面部を接するように積み重ねて、ラックにユニット単位で積み重ね可能なラック用フレームを用いることにより、高さ方向に自在な組み合わせが可能となり、電子機器の組込および増設を容易に行うことができるようにしたものである。
【００２６】
最初に、ラックに用いるラック用フレームの構造、機能について説明する。図１は、本発明による右側壁のラック用フレームを示す斜視図、図２は本発明による左側壁のラック用フレームを示す斜視図、図３は、右側壁のラック用フレームを積み重ねて固定した状態を示す斜視図である。
【００２７】
ラック用フレームは、図１に示す収納機器の右側面に位置する右側壁のラック用フレームと、図２に示す収納機器の左側面に位置する左側壁のラック用フレームとで構成される。なお、右側壁のラック用フレームと左側壁のラック用フレームとは、左右対称を成しているため、同じ符号を付して説明する。
【００２８】
図１および図２に示すように、右側壁のラック用フレーム１と左側壁のラック用フレーム２は箱形の形状を成し、収納電子機器２０の底面と接して収納電子機器２０を支持する底面部５と、上段に位置するラック用フレーム１，２の底面部５と接触する上面部６と、収納電子機器２０のラック取付用フランジ２２（図６に示す）と接する前面部７と、ラック１０の背面パネル（図示せず・必要に応じて付加）等と接する背面部８と、底面部５、上面部６、上面部６および背面部８と一体を成す側面部９とから構成されている。
【００２９】
図１および図２に示すラック用フレーム１，２の底面部５は、側面部９の底辺から垂直に折れ曲がった面からなる。底面部５は、収納電子機器２０の底面と接して収納電子機器２０を支持するための支持部５ａと、背面側に接続ケーブルを通すための切り欠き部５ｂとが設けられている。なお、底面部５の支持部５ａの背面方向の長さは、収納電子機器２０の奥行き寸法とほぼ同じとなっている。また、切り欠き部５ｂの背面部８までの長さは、ケーブルの収能に必要な空間および収納機器の冷却に必要な空間から決定するようにしている。。
【００３０】
また、底面部５には、下段に位置する他のラック用フレーム１，２の上面部６と結合固定するためのねじ穴５ｃが２個所設けられている。なお、図１および図２に示す斜線部分は、支持部５ａが収納電子機器２０の底面と接する領域を示す。
【００３１】
図１および図２に示す上面部６は、ラック用フレーム１，２を積み重ねるためのものであり、側面部９の上辺からＬ字型の形状を成している。上面部６は、上段に位置する他のラック用フレーム１，２の底面部５と接する接触部６ａと、側面部９と平行に形成したガイド部６ｂから構成されている。
【００３２】
上面部６の接触部６ａには、上段に位置する他のラック用フレーム１，２の低面部５と結合固定するためのねじ穴６ｃが２個所に設けられている。上面部６のガイド部６ｂは、ラック１０（図４に示す）に機器を収納する際のガイドを成し、更に、収納電子機器２０が左右にスライドを起きないように防止するためのものである。また、ラック用フレームの前面部７側に位置するガイド部６ｂの先端部６ｂ１は、電子機器を収納する際に容易に行えるように、側面部９側に折り曲げてある。また、ガイド部６ｂの背面側には、ケーブルの固定用ねじ穴６ｄが設けられており、束ねたケーブルを金具等で固定するためのものである。なお、上面部６は、側面部９と一体に形成されており、Ｌ字型の形状にすることにより、ラック用フレームの補強も兼ねている。
【００３３】
図１および図２に示す前面部７は、側面部９と一体で形成されており、収納電子機器２０に取り付けられているラック取付用フランジ２２（図６の（ｂ）に示す）を固定するためのものである。前面部７にはねじ穴７ａが設けられており、前面部７とラック取付用フランジ２２とをねじ等で固定するようになっている。
【００３４】
図１および図２に示す背面部８はラック用フレーム１，２の背面に位置しており、背面カバーまたはステー等を取り付けるねじ穴８ａが設けられており、背面カバーまたはステー等をラック１０の背面に取り付けられるようになっている。背面部８は、側面部９と一体で形成されており、前面部７と平行を成すように構成されている。
【００３５】
また、ラック用フレームの高さ（底面部５から上面部６までの長さ）は、収納する電子機器２０の高さによって決定するようにする。本発明によるラック用フレームは、高さを自在に規定して製作することができるため、高さの異なる電子機器２０に対しても使用することができる。なお、ラック内に収納する電子機器の高さには規格があり、一般に基準寸法（４４．４５ｍｍ、５０ｍｍ等）の倍数の寸法で設計されている。例えば、ＥＩＡ（Ｅｌｅｃｔｒｏｎｉｃ  Ｉｎｄｕｓｔｒｉｅｓ  Ａｓｓｏｃｉａｔｉｏｎ・電子工業会）規格では基準寸法が４４．４５ｍｍとなっており、高さ４４．４５ｍｍを１Ｕ、８８．９０ｍｍ（４４．４５ｍｍ×２）を２Ｕと称している。本発明によるラック用フレームは、各規格の基準寸法の整数倍の高さに対応させて製作することができるため、各ユニットを組み合わせて使用することができる。
【００３６】
以上述べたラック用フレームは、鋼材（例えばＳＥＣＣ）を使用して製作される。ラック用フレームは、鋼材を板金加工によって製作され、他の部品の組み込み等が必要ないため、安価に製造することができる。
【００３７】
次に、ラック１０を組み立てる際のラック用フレーム１，２の積み重ね方法について述べる。図３は、右側壁のラック用フレーム１を積み重ねて固定した状態を示す斜視図である。図３に示すように、ラック用フレームは、下段に位置するラック用フレーム１の上面部６の接触部６ａと、上段に位置するラック用フレーム１の底面部５とを重ね合わせて、下段に位置するラック用フレーム１の上面部６のねじ穴６ｃと、上段に位置するラック用フレーム１の低面部５に設けたねじ穴５ｃとに、固定用金具であるねじ１５やナットで固定するようにする。ねじ穴は、ラック用フレームの上面部６の接触面６ａおよび低面部５に２個所設けられており、それぞれをねじ１５で固定するようにする。なお、電子機器２０をラック１０に収納する際には、ラック用フレームの上面部６のガイド部６ｂに沿って電子機器が移動するため、電子機器が固定用にねじに干渉しないようになっている。
【００３８】
このように、ラック用フレームの上面部６の接触部６ａに他のラック用フレームの底面部５を重ねて固定することにより、ラック用フレーム１，２を高さ方向に自在に延ばすことができる。また、ラック用フレーム１，２の積み重ねは、ラック用フレームの高さが異なるものに対しても行うことが可能となっている。
【００３９】
次に、左側壁のラック用フレーム２に関しても、右側壁のラック用フレーム１と同様に積み重ねて固定するようにする。なお、右側壁と右側壁のラック用フレームは、ペアを成し、積み重ねの際には、同一高さのラック用フレームを使用するようにする。
【００４０】
以上述べた右側壁のラック用フレーム１および左側壁のラック用フレーム２を積み重ねて固定することにより、ラック１０に使用する右側壁および左側壁が完成する。
【００４１】
次に、前述したラック用フレームを用いたラック１０について説明する。図４は、本発明によるラック用フレームを用いたラック１０の構造（組み立て状態）を示す斜視図である。
【００４２】
図４に示すように、ラック１０は、複数の右側壁のラック用フレーム１を積み重ねた右側壁と、複数の左側壁のラック用フレーム２を積み重ねた左側壁と、底板１２と、上面パネル１１からなる。ラック用フレーム１，２は、右側壁および左側壁の最下段に位置するラック用フレーム１，２の底面部５のねじ穴５ｃにより底板１２とねじにより固定されている。また、右側壁および左側壁の最上段に位置するラック用フレーム１，２の上面部６のねじ穴６ｃにより上面パネル１１とねじにより固定されている。
【００４３】
図４に示すラック１０は、１０個の右側壁のラック用フレーム１および左側壁のラック用フレーム２を積み重ねたものであり、最大１０式の機器を収納することが可能となっている。
【００４４】
図５は、上面パネル１１をはずした状態のラック１０の平面図である。図５に示すように、収納する電子機器２０（点線で示す）はラック用フレームの底面部５の支持部５ａ（図１，図２参照）で保持されている。電子機器２０の背面では、底面部５の切り欠き部５ｂによって、電子機器２０の幅寸法とほぼ同じ幅のケーブルの収納空間１３を有している。これにより、電子機器２０の背面に位置するコネクタが、電子機器２０の側面近くの下部にあっても、接続ケーブルのコネクタおよびケーブルがラック用フレームの底面部５に接触することなく接続できるため接続不良を防ぐことができる。また、ラック用フレームの底面部５の切り欠き部によって、電子機器２０の冷却に必要な空間が確保されるため、電子機器２０の発熱を押さえることができる。
【００４５】
また、ラック１０に使用しているラック用フレーム１，２は、収納機器の幅の寸法に影響されないため、収納機器の幅寸法に合わせた底板１２と、上面パネル１１とを準備することにより、各種の幅の電子機器に対応することができる。
【００４６】
以下に、図４に示すラック１０に電子機器２０を収納した一例を示す。図６（ａ）は、ラック１０に電子機器２０を収納した状態を示す図である。図６（ｂ）は、図６（ａ）に波線の丸印で示すラック固定用金具を拡大した図である。図６（ａ）、（ｂ）に示すように、電子機器２０は、ラック１０の前面よりラック用フレームに載せて、電子機器２０の前面に位置する取っ手２３を使用してラック１０の背面に押し込むようにしてラック用フレーム１，２に収納する。その後、電子機器２０の前方側面に取り付けられているラック固定用金具２２のラック固定用ねじ穴とラック用フレーム１，２のねじ穴７ａにねじを挿入して、電子機器２０をラック用フレーム１，２の前面部７に固定するようにする。図６（ａ）に示すラック１０は、１０式の機器を収納した状態を示している。
【００４７】
以上述べたように、本発明によるラック１０を構成する部品は右側壁のラック用フレーム１、左側壁のラック用フレーム２、低板および上面パネル１１のみであるため、従来のラックと比較して、部品点数が少ないため安価に製作することができる。また、従来のラックのように支柱にガイドレールを取り付ける必要がないため、短時間でラックの組み立てが行え、組み立て後、ラックの調整なしで機器の収納を行うことができる。また、ラック１０の設置面積は、従来のラックより小さいため、スペースを有効に活用できる。
【図面の簡単な説明】
【００４８】
【図１】本発明による右側壁のラック用フレームを示す斜視図である。
【図２】本発明による左側壁のラック用フレームを示す斜視図である。
【図３】右側壁のラック用フレームを積み重ねて固定した状態を示す斜視図である。
【図４】本発明によるラック用フレームを用いたラックの構造（組み立て状態）を示す斜視図である。
【図５】上面パネルをはずした状態のラックの平面図である。
【図６】（ａ）は、ラックに機器を収納した状態を示す図、（ｂ）は、（ａ）に波線の丸印で示すラック固定用金具を拡大した図である。
【図７】従来のラックの概略の構成を示す斜視図である。
【図８】ラックマウント用レールの構成を示す斜視図である。
【符号の説明】
【００４９】
１      右側壁のラック用フレーム 
２      左側壁のラック用フレーム
５      底面部
５ａ    支持部  
５ｂ    切り欠き部
５ｃ    ねじ穴
６      上面部   
６ａ    接触部
６ｂ    ガイド部 
６ｃ    ねじ穴
６ｄ    ケーブル固定用ねじ穴
７      前面部
７ａ    ねじ穴
８      背面部
８ａ    ねじ穴
９      側面部
１０    ラック
１１    上面パネル
１２    底板
１３    ケーブル収納空間
１５    ねじ
２０    電子機器
２２    ラック固定用金具
２３    取っ手
３０    従来のラック
３１    支柱
３１ａ  位置決め用のステー
３２    上部フレーム
３３    下部フレーム
３５    ラックマウント用レール
３５ａ  スライド部
【図１】
2005353916.tif 000003
【図２】
2005353916.tif 000004
【図３】
2005353916.tif 000005
【図４】
2005353916.tif 000006
【図５】
2005353916.tif 000007
【図６】
2005353916.tif 000008
【図７】
2005353916.tif 000009
【図８】
2005353916.tif 000010